(57)【特許請求の範囲】
【請求項１】
汚物排出ボウルの開口部を覆う洗面ボウルと、
軸支されることで前記洗面ボウルが回動可能となる前記洗面ボウルに固定される軸支軸と、
前記洗面ボウルを回動させた状態で静止させる回動静止機構と、を備え、
前記洗面ボウルを回動させることで、前記開口部が開口することを特徴とする洗面ボウル装置。
【請求項２】
前記洗面ボウルにパウチの着装状態を視認するためのパウチ視認鏡が装着され、前記パウチ視認鏡は、前記洗面ボウルを回動した状態で前記パウチの着装位置が視認できることを特徴とする請求項１に記載の洗面ボウル装置。
【請求項３】
前記回動静止機構は、前記軸支軸を回動させることで前記洗面ボウルを回動させるモータと、セルフロック機能を具備する減速機とを有し、前記モータは、前記減速機を介して前記軸支軸に連結することを特徴とする請求項１または２に記載の洗面ボウル装置。
【請求項４】
請求項１〜３に記載の汚物排出ボウル装置および洗面ボウルと、シャワー装置と、を備え、
前記シャワー装置は、前記洗面ボウル、前記汚物排出ボウルのいずれにも水を注ぐことができることを特徴とする汚物流しユニット。
【請求項５】
前記シャワー装置は、水を吐出するシャワーヘッドと、前記シャワーヘッドを着脱可能に固定するシャワーフックと、前記シャワーフックを回動可能に支持する軸支金具と、を有し、前記シャワーフックを所定の位置まで回動することで、前記洗面ボウルは、前記シャワー装置と干渉することなく回動できることを特徴とする請求項４に記載の汚物流しユニット。
【発明の詳細な説明】
【技術分野】
【０００１】
本発明は、汚物排出ボウルの開口部を覆うとともに、回動することで開口部を開口する洗面ボウル、この洗面ボウルを用いた汚物流しユニットに関する。
【背景技術】
【０００２】
オストメイトの方々は、外出時のトイレ利用に不安を持っており、訪れたトイレが利用できない場合があるとトイレ自体の利用を諦めることもある。このようなトラブルを懸念して、外出の際の水分補給を控えたり、外出時間を短縮するなどの対策を講じたり、さらには外出自体を諦めたりする人も一定程度存在している。オストメイトの方々のトイレ利用の不安を少しでも解消するために、ストレスなく利用できるトイレ環境を整備することが望まれる。
【０００３】
「多様な利用者に配慮したトイレの整備方策に関する調査研究報告書」によると、多機能トイレで待たされた経験を持つオストメイトの方々は、５７．４％と多く、待つのが困難で利用を諦めたことがよくある方々は５５．２％となっている。また、多機能トイレが不足していると感じている方々の割合は、６７．５％に昇っている。
【０００４】
このような状況に鑑みると、当面の対策として多機能トイレに集中していた機能を、他のトイレ個室に分散配置する取り組みが要望される。例えば、既存のトイレ施設を改築してレイアウトを変更し、一般のトイレ個室とオストメイト用設備を有するトイレ個室を併設する等である。
【０００５】
オストメイト用設備を有するトイレ個室は、一般のトイレ個室に比べて専有面積が大きく改築に伴って一般のトイレ個室を大きく削減する必要がある。また、新設する場合も広い敷地を確保する必要がある。このようなことが、普及促進を阻害する一因となっていたと考えられる。
【０００６】
特許文献１、２では、コンパクト化が可能となるオストメイト用の流しユニットが提案されている。
【先行技術文献】
【特許文献】
【０００７】
【特許文献１】特開２０１８―１７４９７１号公報
【特許文献２】特開２０１９―７６４４６号公報
【発明の概要】
【発明が解決しようとする課題】
【０００８】
しかし、特許文献１、２で提案されているオストメイト用の流しユニットを、オストメイト用設備を有するトイレ個室、あるいは多機能トイレに用いる場合、オストメイトの方々の利便性を考慮すると、別途手洗い用の設備を設けることが適当である。手洗い設備を省略することは、衛生面での不安が残り、またトイレの使い勝手も必ずしも良いものとはならないからである。
【０００９】
本発明は、これらの問題点に着目してなされたものであり、オストメイト用設備を有するトイレ個室、あるいは多機能トイレの省スペース化が、より一層可能となる洗面ボウル装置、この洗面ボウル装置を用いた汚物流しユニットを提供するものである。
【課題を解決するための手段】
【００１０】
上記課題を解決するための発明は、洗面ボウル装置であって、汚物排出ボウルの開口部を覆う洗面ボウルと、軸支されることで洗面ボウルが回動可能となる洗面ボウルに固定される軸支軸と、洗面ボウルを回動させた状態で静止させる回動静止機構を備え、洗面ボウルを回動させることで、開口部が開口することを特徴とする。
【００１１】
ここでいう汚物排出ボウルは、パウチ（オストメイトの方々が、ストーマ（腹部皮膚の開口部）に取り付けて汚物を一時的に貯める袋）に溜まった汚物を流すための汚物排出設備である。
【００１２】
この構成によれば、汚物排出ボウルの開口部を洗面ボウルが覆った状態で洗面（手洗い）が可能となるので、汚物排出ボウルの上方に直接手をかざして手洗いすることを回避できる。これにより、手洗いのために注いだ水が汚物排出ボウルに跳ね返って手に触れることはない。すなわち、効率よく、かつ衛生的な手洗いが可能となる。
また、洗面ボウルを回動させることで、開口した開口部に汚物を投入できる。すなわち、洗面機能と汚物処理機能の双方を具備する。これにより新たに洗面設備を設けることは不要となることから、省スペース化を図ることができる。
【００１３】
好ましくは、洗面ボウルにパウチの着装状態を視認するためのパウチ視認鏡が装着され、パウチ視認鏡は、洗面ボウルを回動した状態でパウチの着装位置が視認できることを特徴とする。
【００１４】
この構成によれば、洗面ボウルに、洗面ボウルを回動した状態でパウチの着装位置が視認できるパウチ視認鏡が装着されているので、パウチ視認鏡でパウチの着装状態を視認することで、オストメイトの方々のパウチの着装が容易となる。
【００１５】
好ましくは、回動静止機構は、軸支軸を回動させることで洗面ボウルを回動させるモータと、セルフロック機能を具備する減速機とを有し、モータは、減速機を介して軸支軸に連結することを特徴とする。
【００１６】
この構成によれば、回動静止部は、軸支部を回動させるモータと、セルフロック機能を具備する減速機とを有しており、モータは、減速機を介して軸支軸に連結しているので、モータの回動に伴って洗面ボウルは回動する。また、モータの回動を止めたときは、減速機のセルフロック機能によって洗面ボウルの回動位置は維持される。
【００１７】
上記課題を解決するための他の態様の発明は、汚物流しユニットであって、前述した汚物排出ボウル装置および洗面ボウルと、シャワー装置を備え、シャワー装置は、洗面ボウル、汚物排出ボウルのいずれにも水を注ぐことができることを特徴とする。
【００１８】
この構成によれば、洗面ボウルと汚物排出ボウルのいずれにも水を注ぐことができるシャワー装置を一体的に備えているので、オストメイト用設備を有するトイレ個室、あるいは多機能トイレの省スペース化が図れるとともに、設置の省力化が可能となる。
【００１９】
好ましくは、シャワー装置は、水を吐出するシャワーヘッドと、シャワーヘッドを着脱可能に固定するシャワーフックと、シャワーフックを回動可能に支持する軸支金具を有し、シャワーフックを所定の位置まで回動することで、洗面ボウルは、シャワー装置と干渉することなく回動できることを特徴とする。
【００２０】
この構成によれば、シャワーヘッドはシャワーフックに着脱可能に固定されているので、シャワーとして、または蛇口として利用できる。また、シャワー部を所定の位置まで回動することで、洗面ボウルはシャワー装置と干渉することなく簡単に回動できるので、シャワー装置の取付位置を自由に設定できる。
【図面の簡単な説明】
【００２１】
【図１】汚物排出ボウルに洗面ボウル装置を取り付けた状態の側面断面図である。
【図２】同、平面図である。
【図３】洗面ボウルの開閉を説明するブロック図である。
【図４】汚物流しユニットの正面図である。
【図５】同、部分平面図である。
【図６】同、部分側面図である。
【図７】シャワーフックの平面図である。
【発明を実施するための形態】
【００２２】
以下、図１〜３を参照して、洗面ボウル装置１の実施形態を詳述する。
【００２３】
図１に示す通り、洗面ボウル装置１は、汚物排出ボウル５に設けられた開口部５２を開閉できる装置である。汚物排出ボウル５は、下部壁面３２に固定されている。パウチに滞留した汚物は、開口部５２に投入されることで汚物排出口５３を経由して外部に排出される。パウチとは、オストメイトの方々が、ストーマ（腹部皮膚の開口部）に取り付けて汚物を一時的に貯めるための袋である。また、開口部５２は、汚物排出ボウル５の外縁端５１によって画定される領域であり、上方に向かって開口している。外縁端５１は、汚物排出ボウル５の上端に設けられた環状の端部である。
【００２４】
洗面ボウル装置１は、開口部５２を覆う洗面ボウル１１を有している。洗面ボウル１１は、外縁端５１の全周に渡って接触する接触部１２と、注がれた水を受けるためのボウル部１３を有している。ボウル部１３は壁面３に向かって下り勾配の傾斜面１３ａが設けられており、傾斜面１３ａが下りきった最下地点近傍に排水口１４が設けられている。ボウル部１３に注がれた水は、排水口１４を経由して、汚物排出ボウル５に落水し、汚物排出口５３を経由して外部に排出される。洗面ボウル１１は、外縁端５１の全周に渡って接触しているので、汚物排出ボウル５に落水した水が、はね返って汚物排出ボウル５の外部に飛散することはない。
【００２５】
傾斜面１３ａに対向する面となる裏面１３ｂに、パウチ視認鏡２０が装着されている。洗面ボウル１１を回動して所定の位置でパウチ視認鏡２０を静止させることで、パウチの着装位置が視認できる。傾斜面１３ａ、および裏面１３ｂの勾配は同一に設定されている。したがって、裏面１３ｂに着装されるパウチ視認鏡２０の取付角度は、傾斜面１３ａ、裏面１３ｂと同一の勾配となる。
【００２６】
一般的に、パウチは腹部に着装されることから、着装位置は、目の位置より低くなっている。そのため、パウチ視認鏡２０は、鉛直に対して開口部５２の方向に若干傾いた状態であると、オストメイトの方々が、ストーマにパウチを着装する状態を視認しやすくなる。パウチ視認鏡２０の取付角度を傾斜面１３ａの勾配よりも大きくすると、本実施形態に比べて、適正な視認角度を得るための洗面ボウル１１の回動角度を小さくできる。逆に、パウチ視認鏡２０の取付角度を傾斜面１３ａの勾配よりも小さくすると、洗面ボウル１１の回動角度は大きくなる。パウチ視認鏡２０の取付角度は、傾斜面１３ａの勾配より若干大きくすることが好ましい。
【００２７】
壁面３は、側面視で階段状の壁であり、上部壁面３１と下部壁面３２は、中間壁面３３を介して接続している。汚物排出ボウル５は、下部壁面３２に固定されている。
【００２８】
図２に示す通り、軸支軸１５は、接触部１２から上部壁面３１の方向に延びる接続部１６と、接続部１６から中間壁面３３が延びる方向に沿って突設する軸部材１５ａ、１５ｂで構成されている。軸部材１５ａは、軸受部材３０ａに軸支されている。また、軸部材１５ｂは、軸受部材３０ｂに軸支されるとともに、減速機４２を介してモータ４１に接続している。軸受部材３０ａ、３０ｂは上部壁面３１に固定されている。
【００２９】
減速機４２は、一定速度で回転するモータ４１を適正な回転スピードに減速させるものであり、これによって洗面ボウル１１を、所定のスピードで回動できる。また、減速機４２はセルフロック機構を具備している。セルフロック機構は、モータ４１の回動に伴って回動軸４２ａは従動するが、回動軸４２ｂを直接回動しようとしても回動できない構造である。これにより、モータ４１の回動を停止したとき、洗面ボウル１１は所定の高さに留まることができる。なお、セルフロック機能を具備する減速機については、周知の一般的構成であることから、構造の説明は省略する。
【００３０】
操作台４５が、下部壁面３２から突設して設けられている。操作台４５は、洗面ボウル１１を上昇させるための上昇操作スイッチ４３、および洗面ボウル１１を下降させるための下降操作スイッチ４４が装着されている。
【００３１】
図３は、回動静止機構４０の回動抑止メカニズムを説明するための模式図である。上昇操作スイッチ４３、下降操作スイッチ４４は、コントローラ４６を介してモータ４１と電気的に接続している。また、モータ４１は減速機４２を介して洗面ボウル１１と機械的に接続している。
【００３２】
上昇操作スイッチ４３または下降操作スイッチ４４を押して、コントローラ４６に操作信号を送信する。信号を受けたコントローラ４６によって、モータ４１が操作される。操作されたモータ４１が回動することで、減速機４２がモータ４１の回動スピードを減速させながら洗面ボウル１１を回動させる。これにより、洗面ボウル１１の回動速度の適正化を図り得る。
【００３３】
上昇操作スイッチ４３または下降操作スイッチ４４から手を放すと、コントローラ４６に送信されていた操作信号が遮断される。操作信号が遮断されることでモータ４１の回動が停止する。このとき、モータ４１は物理的に自由に回動できる状態となっているが、減速機４２のセルフロック機能によって、洗面ボウル１１の回動は抑制されて、回動した位置に静止する。
【００３４】
図４〜７を参照して、汚物流しユニット１００の実施形態について説明する。汚物流しユニット１００は、洗面ボウル装置１を組み込んでシステム化した設備であることから、洗面ボウル装置１で説明した事項は省略し、主に相違する構成について説明する。洗面ボウル装置１で説明した構成と同一の構成については、同一の符号を付し、異なる構成については１００番台の符号を付す。
【００３５】
図４に示す通り、汚物流しユニット１００は、前述した汚物排出ボウル５、洗面ボウル装置１に加えて、洗浄ボタン１０５、シャワー装置１１０、操作レバー１１１、鏡１２１、ソープディスペンサ１２２、トイレットペーパフォルダ１２３をさらに有する。
【００３６】
洗浄ボタン１０５、シャワー装置１１０、操作レバー１１１、鏡１２１、ソープディスペンサ１２２、トイレットペーパフォルダ１２３は、上部壁面３１に設けられている。
【００３７】
壁面３の背後に、汚物排出ボウル５を洗浄するための水を貯水する貯水タンク（図示略）が設けられている。洗浄ボタン１０５を押すことで、貯水タンクに貯水されていた水が流れ出し、汚物排出ボウル５を洗浄する。
【００３８】
洗浄ボタン１０５は、汚物排出ボウル５の洗浄を指示するための操作ボタンである。洗浄ボタン１０５を操作することにより洗浄水が供給されて、汚物排出ボウル５の内部に投入された汚物が汚物排出口５３を経由して外部に放出される。
【００３９】
シャワー装置１１０は、洗面ボウル１１、あるいは汚物排出ボウル５に向けて水を吐出する。これにより、オストメイトの方々の手洗いや、パウチ等の洗浄が可能となる。洗面ボウル１１に水を貯めることで、入念に、かつ清潔に手洗いすることができる。シャワー装置１１０は、上部壁面３１の背後に収納された可撓性のホースに接続されている。ホースを上部壁面３１から引き出すことで、シャワーのように自由な向きに水を吐出することができる。
【００４０】
操作レバー１１１は、レバー操作によってシャワー装置１１０から吐出される水の水量や温度を調節するものである。鏡１２１は、汚物処理の前後の身体の状態を視認するものである。ソープディスペンサ１２２は、内部に石鹸水を貯めて、操作によって貯められた石鹸水を供給するものである。トイレットペーパフォルダ１２３は、トイレットペーパを着脱可能に保持するものである。
【００４１】
洗面ボウル１１は、上昇操作スイッチ４３、下降操作スイッチ４４の操作によって上下方向に回動する。鏡１２１は洗面ボウル１１の上方に設けられている。洗浄ボタン１０５、シャワー装置１１０、操作レバー１１１、ソープディスペンサ１２２、トイレットペーパフォルダ１２３は、洗面ボウル１１が回動したとき、干渉しない範囲で、可能な限り鏡１２１に近い中央の位置に設けることが好ましい。これにより、汚物流しユニット１００のコンパクト化が可能となる。
【００４２】
それぞれの設備の配置は、本実施形態に限定されるものではない。上部壁面３１には少なくともシャワー装置１１０、操作レバー１１１、洗浄ボタン１０５を設ければよい。また、鏡１２１、ソープディスペンサ１２２、トイレットペーパフォルダ１２３は必要に応じて省略してもよい。
【００４３】
図５、６に示す通り、シャワー装置１１０は、軸支金具１１５、シャワーフック１１４、およびシャワーヘッド１１６を有している。軸支金具１１５は、上部壁面３１に固定されている。シャワーフック１１４の一方の端部は、回動部１１７が設けられ、回動部１１７は、軸支金具１１５に回動可能に支持されている。他方の端部はシャワーヘッド１１６を着脱可能に嵌合している。シャワーフック１１４には回動操作ボタン１１８が装着されている。回動操作ボタン１１８を押すことで、シャワーフック１１４の固定状態が開放されて軸支金具１１５廻りに回動できる状態となる。
【００４４】
図７に示す通り、シャワーフック１１４の他方の端部は、シャワーヘッド挿入穴１１４ａとシャワーホース挿入溝１１４ｂが設けられている。シャワーホース１１９をシャワーホース挿入溝１１４ｂからシャワーヘッド挿入穴１１４ａに押し込んで挿入し、シャワーヘッド１１６をシャワーヘッド挿入穴１１４ａに上方から下方に向かって挿入することで、シャワーヘッド１１６はシャワーフック１１４と嵌合する。また、シャワーヘッド１１６を下方から上方に向かって押し上げることで嵌合状態は解かれ、シャワーヘッド１１６とシャワーフック１１４は分離した状態となる。さらに、シャワーホース１１９をシャワーヘッド挿入穴１１４ａから引き出すことで、シャワーヘッド１１６を自由に移動できる。
【００４５】
図５を参照して、汚物流しユニット１００の使用につて説明する。
【００４６】
汚物流しユニット１００で手洗いをするときは、ボウル部１３、シャワー装置１１０は図５の実線の状態に位置している。すなわち、ボウル部１３は汚物排出ボウル５の開口部５２を覆っており、シャワーヘッド１１６はボウル部１３に水を注ぐことができる状態である。
【００４７】
オストメイトの方々が、パウチに滞留した汚物を処理するときは、回動操作ボタン１１８を押してシャワーフック１１４を点線の位置まで回動する。上昇操作スイッチ４３を押し、ボウル部１３を回動させて、開口部５２からパウチに滞留した汚物を投入し洗浄ボタン１０５を押して、投入した汚物を洗い流す。シャワーヘッド１１６をシャワーフック１１４から取外し、シャワーヘッド１１６から吐出する水でパウチ等を洗浄する。
【００４８】
シャワーヘッド１１６をシャワーフック１１４に嵌合させた後、上昇操作スイッチ４３、下降操作スイッチ４４を操作して、パウチ視認鏡２０の角度を調整し、パウチの装着位置が確認できる位置を確定する。パウチ視認鏡２０で状態を視認しながらパウチを着装する。パウチ着装終了後、下降操作スイッチ４４を操作して、ボウル部１３が開口部５２を覆う状態とする。
【００４９】
シャワーヘッド１１６を元の位置に戻し、ボウル部１３に注がれた水で手を洗浄する。
【００５０】
本実施形態は例示であり、本発明の技術的思想を逸脱しない範囲で改変できることは勿論である。例えば、傾斜面１３ａは、壁面３に向かって下り勾配に設定されているが、壁面３に向かって上り勾配に設定してもよい。また、パウチ視認鏡２０の取付角度は、傾斜面１３ａの勾配と同一に設定されているが、傾斜面１３ａの勾配と同一としなくてもよい。すなわち、利便性等を勘案して適宜設定すればよい。
【００５１】
回動静止機構は、モータと減速機を有していたが、これに関わらず、ボウル部の回動を静止できる構成であればよい。例えば、ボウル部を壁面に係止する係止金具を具備した構成であってもよい。
【産業上の利用可能性】
【００５２】
本発明の汚物処理ユニットを多機能トイレに用いることで、従来の多機能トイレに比べて専有面積を大幅に削減できる。これによって、多機能トイレの普及促進を図れることから、産業上の利用可能性は大である。
【符号の説明】
【００５３】
１：洗面ボウル装置
５：汚物排出ボウル
１１：洗面ボウル
１５：軸支軸
２０：パウチ視認鏡
４０：回動静止機構
４１：モータ
４２：減速機
５２：開口部
１００：汚物流しユニット
１１０：シャワー装置
１１４：シャワーフック
１１５：軸支金具
１１６：シャワーヘッド
【要約】
【課題】オストメイト用設備を有するトイレ個室、あるいは多機能トイレの省スペース化が、より一層可能となる洗面ボウル装置、この洗面ボウル装置を用いた汚物流しユニットを提供する。
【解決手段】洗面ボウル装置１は、汚物排出ボウル５に設けられた開口部５２を開閉できる装置であり、開口部５２を覆う洗面ボウル１１を有している。また、回動した洗面ボウル１１を回動した位置で静止する回動静止機構４０を有している。さらに、裏面１３ｂにパウチ視認鏡２０が装着されている。洗面ボウル１１を回動して所定の位置で静止させることで、パウチ視認鏡２０を用いてパウチの着装位置が視認できる。
【選択図】  図１【図１】
0006923243.tif 000002
【図２】
0006923243.tif 000003
【図３】
0006923243.tif 000004
【図４】
0006923243.tif 000005
【図５】
0006923243.tif 000006
【図６】
0006923243.tif 000007
【図７】
0006923243.tif 000008